(57)【要約】【課題】同期多重伝送を行う情報伝送装置及び情報伝送制御方法に関し、自局側と対向局側との伝送制御情報を一致させる。【解決手段】同期フレームにより多重化伝送を行うＳＤＨ伝送装置１等の情報伝送装置及び情報伝送制御方法であって、自局から対向局に対して同期フレームにより多重化して伝送するパケットの送信速度情報と送信モード情報とを抽出する自局情報抽出部１３と、対向局からの受信情報を基にパケットの送信速度情報と送信モード情報とを抽出する対向局情報抽出部１１と、抽出した対向局情報と、抽出した自局情報とを比較して同一か否かを判定する設定の比較・適正処理部１４と、この自局情報と対向局情報との比較結果が同一でない場合に、オートネゴシェーションにより自局と対向局とのパケットの送信速度と送信モードとを一致させる制御処理手段を含む制御処理部５を備えている。【選択図】図１
2011176543.tif 000002
【特許請求の範囲】
【請求項１】
同期フレームによりパケットを多重化して伝送を行う情報伝送装置に於いて、
自局から対向局に対して前記同期フレームにより多重化して伝送するパケットの送信速度情報と送信モード情報とを抽出する自局情報抽出部と、
対向局からの受信情報を基に該対向局に於けるパケットの送信速度情報と送信モード情報とを抽出する対向局情報抽出部と、
前記自局情報抽出部により抽出した自局情報と、前記対向局情報抽出部により抽出した対向局情報とを比較する設定の比較・適正処理部と、
該設定の比較・処理部による前記自局情報と前記他局情報との比較結果が同一でない場合に、オートネゴシェーションにより前記自局と前記対向局とのパケットの送信速度と送信モードとを一致させる制御処理手段を含む制御処理部を備えた
ことを特徴とする情報伝送装置。
【請求項２】
前記制御処理部は、前記設定の比較・適正処理部による前記自局のパケットの送信速度と送信モードと前記対向局のパケットの送信速度と送信モードとが一致しない時に、最適と見做す設定内容を選択してオートネゴシェーションを実行する手段を備えていることを特徴とする請求項１記載の情報伝送装置。
【請求項３】
前記制御処理部は、前記同期フレームのペイロードに多重化して前記対向局へ送信するコンテナのペイロードの先頭位置に、自局のパケットの送信速度情報と送信モード情報とオートネゴシェーション強制実施情報とを含む送信制御情報を付加する制御処理手段を備えたことを特徴とする請求項１記載の情報伝送装置。
【請求項４】
同期フレームにより自局と対向局との間のパケットの伝送情報を自局側の情報伝送装置と対向局側の情報伝送装置との間で多重化して伝送する情報伝送制御方法に於いて、
前記自局側の情報伝送装置は、前記自局のパケットの送信速度情報と送信モード情報とを含む送信制御情報を前記自局から前記対向局への伝送情報に付加して送信し、前記対向局側の情報伝送装置から伝送情報を受信し、該対向局のパケットの送信速度情報と送信モード情報とを抽出し、前記自局の送信速度情報と送信モード情報と前記対向局の送信情報と送信モード情報とを照合し、照合不一致の時に、前記対向局側の情報伝送装置に対するオートネゴシェーション要求を行い、前記自局のパケットの送信速度と送信モードと前記対向局のパケットの送信速度と送信モードとを一致させる制御過程を含むことを特徴とする情報伝送制御方法。
【請求項５】
前記情報伝送装置は、前記自局と前記対向局とのパケットの送信速度情報と送信モード情報とが一致しない時に、最適と見做す設定内容を選択して前記対向局側の情報伝送装置に対するオートネゴシェーションを実行する制御過程を含むことを特徴とする請求項４記載の情報伝送制御方法。
【請求項６】
新規回線設定時に、該新規回線に接続した自局と該自局との間で情報伝送を行う対向局との間のパケットの送信速度情報と送信モード情報とを一致させる為のオートネゴシェーションを前記自局側の情報伝送装置と前記対向局側の情報伝送装置との間で実行し、該オートネゴシェーションにより前記送信速度情報と送信モード情報とが一致しない時に、前記送信速度と送信モードの選択優先順位に従って選択した送信速度情報と送信モード情報とを基に再度オートネゴシェーションを行う制御過程を含むことを特徴とする請求項４記載の情報伝送制御方法。
【発明の詳細な説明】
【技術分野】
【０００１】
本発明は、相互間で同期多重伝送を行う情報伝送装置及び情報伝送装置に接続されたルータ等の相互間で同一の伝送条件で情報伝送を行う為の情報伝送制御方法に関する。
【背景技術】
【０００２】
多重化データを高速で同期多重伝送するＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）伝送システムは周知の技術であって、伝送速度は標準化されており、例えば、ＳＴＭ−０は５２Ｍｂｐｓ、ＳＴＭ−１は１５６Ｍｂｐｓ、ＳＴＭ−４は６２２Ｍｂｐｓ、ＳＴＭ−１６は２．４Ｇｂｐｓである。このような同期多重伝送を行う為の各種の構成が実用化されている。例えば、図６に示すように、情報伝送装置としてのＳＤＨ伝送装置６１，６２，６３，６４を順次伝送路により接続してリング伝送システムを構成し、ＳＤＨ伝送装置６１，６３にそれぞれルータＲＴ１，ＲＴ２或いは端末装置等を接続し、それらのルータＲＴ１，ＲＴ２間の伝送情報は、イーサネット（登録商標）等のパケットにより伝送し、図示を省略している他のルータからのパケットと共に、ＳＤＨフレームのペイロードに多重化してＳＤＨ伝送装置間で同期伝送する。その場合に、ルータＲＴ１，ＲＴ２間では、点線矢印で示すリモート情報により、パケット伝送速度や伝送形式が同一となるように、ＳＤＨ伝送装置６１，６３を介して連絡することにより制御する。図示の場合、ルータＲＴ１，ＲＴ２間では、イーサネット（登録商標）のパケットの伝送速度は１０Ｍ（１０Ｍｂｐｓ）、伝送モードはＨａｌｆ  Ｄｕｐｌｅｘ（半二重）による場合を示す。なお、他のＳＤＨ伝送装置６２，６４にも、単一或いは複数のルータや端末装置等を接続できるものである。又複数のＳＤＨ伝送装置を接続する伝送路を二重リング伝送路構成として、一方のリング伝送路を現用系とし、他方のリング伝送路を予備系とした二重伝送路形式とした伝送システムや、一方のリング伝送路と他方のリング伝送路とに同一の情報を送信し、受信側は、予め設定した一方のリング伝送路による情報を受信処理し、異常発生時に、他方のリング伝送路による情報を受信処理する二重化伝送システムも知られている。
【０００３】
又ＳＤＨフレームのペイロードに各種の情報を多重化して伝送し、制御信号をペイロード或はＳＯＨ（セクション・オーバー・ヘッド）に多重化して同期伝送する各種の手段が知られている（例えば、特許文献１参照）。又光信号によりＳＤＨフレームを送受信するシステムに於いて、ギガビット・イーサネット（登録商標）による情報をＳＤＨフレームのペイロードに多重化して伝送し、且つリンク断信号の伝送や、オートネゴシェーション機能によりフロー制御を可能とした伝送システム及び伝送方法も各種提案されている（例えば、特許文献２参照）。このようなフロー制御を行う場合、伝送モードとして、全二重（ＦＤ；Ｆｕｌｌ  Ｄｕｐｌｅｘ）又は半二重（ＨＤ；Ｈａｌｆ  Ｄｕｐｌｅｘ）を示す情報も含ませることができる。ＳＤＨフレームとして、例えば、ＳＴＭ−４フレームの一例を図７の（Ａ）に示す。このＳＴＭ−４フレームは、９行×１０８０バイトの構成を有し、セクション・オーバーヘッドＳＯＨは、９行×３６バイトの構成を有する。なお、セクション・オーバーヘッドのＲＳＯＨ（Ｒｅｇｅｎｅｒａｔｏｒ  Ｓｅｃｔｉｏｎ  Ｏｖｅｒ  Ｈｅａｄ）は、中継装置相互間或は中継装置と伝送装置との間で使用されるセクション・オーバーヘッド、ＡＵ−ＰＴＲｓ（Ａｄｍｉｎｉｓｔｒａｔｉｖｅ  Ｕｎｉｔ  Ｐｏｉｎｔｅｒ）は、時間位相関係をペイロードのタイムスロットのアドレス値として示すポインタ、ＭＳＯＨ（Ｍｕｌｔｉｐｌｅｘ  Ｓｅｃｔｉｏｎ  Ｏｖｅｒ  Ｈｅａｄ）は、伝送端局相互間で使用される端局セクション・オーバーヘッドを示す。
【０００４】
又ＳＤＨフレームのペイロードに多重化して伝送するバーチャル・コンテナＶＣ３／ＶＣ４は、バーチャル・コンテナＶＣ３又はＶＣ４の何れか又は両方を用いて多重化伝送することを示し、バーチャル・コンテナＶＣ３／ＶＣ４のＰＯＨ（Ｐａｔｈ  Ｏｖｅｒ  Ｈｅａｄ）は、パス・オーバーヘッドを示し、このパス・オーバーヘッドＰＯＨは、１バイト×９行構成であり、Ｊ１，Ｂ３，Ｃ２，Ｇ１，Ｆ２，Ｈ４，Ｆ３、Ｋ３，Ｎ１の９バイトから構成された場合を示し、例えば、Ｊ１バイトは、固定パターンで、バーチャル・コンテナの先頭位置を示すバイトである。又Ｂ３バイトは誤り監視バイト、Ｃ２バイトはコンテナ構成を示すバイト、Ｇ１バイトはパス状態表示バイト、Ｆ２バイトは任意使用可能のバイト、Ｈ４バイトは位置表示用バイトを示す。又バーチャル・コンテナのペイロードの先頭位置のＬ，Ｒは、自局から対向局へ通知する送信制御情報として利用する場合の一例を、図７の（Ｂ）に示す。この送信制御情報は、自局→対向局への送信制御情報として示すように、バイトＬ，Ｒの中のバイトＲを利用し、そのバイトＲのＢｉｔ０〜Ｂｉｔ７の中のＢｉｔ７を、“０”として１０Ｍモード（１０Ｍｂｐｓ）、“１”として１００Ｍモード（１００Ｍｂｐｓ）、Ｂｉｔ６を“１”として、１０００Ｍモード（１Ｇｂｐｓ）を通知することができる。又Ｂｉｔ５を、“０”として半二重（Ｈａｌｆ  Ｄｕｐｌｅｘ）、“１”として全二重（Ｆｕｌｌ  Ｄｕｐｌｅｘ）の伝送モードを通知することが考えられる。なお、送信制御情報として、前述のように１バイト分のみ利用する場合は、バイトＬを省略することも考えられる。又セクション・オーバーヘッドやパス・オーバーヘッドの中の未使用バイトを利用することも考えられる。
【０００５】
図８は、情報伝送装置として、図６に於けるＳＤＨ伝送装置６１，６３の伝送処理機能として必要と考えられる主要機能部を示すもので、１０１は情報伝送装置としてのＳＤＨ伝送装置、１０２は装置制御・監視ユニット、１０３は主信号伝送ユニット、１０４はユニット内監視制御部、１０５は制御処理部、１０６はＯ／Ｅ，Ｅ／Ｏ変換部、１０７はＳＤＨ受信処理部、１０８はＳＤＨ送信処理部、１０９はカプセル分離部、１１０はカプセル化処理部、１１１は対向局情報抽出部、１１２はインタフェース部を示す。又ＳＤＨ伝送装置１０１は、装置制御・監視ユニット１０２と主信号伝送ユニット１０３とを主要部として備えている場合を示し、その装置制御・監視ユニット１０２は、図示を省略した監視システム等と情報転送網（ＤＣＮ）を介して接続し、監視情報や制御情報の送受信処理を行い、且つ主信号伝送ユニット１０３のユニット内監視制御部１０４との間で、主信号伝送ユニット１０３内の各部の監視情報や制御情報の転送処理を行う機能を備えている。
【０００６】
又主信号伝送ユニット１０３は、ＳＤＨリング伝送路とルータとの間の各種情報の伝送制御処理を行う機能を備えているもので、ＳＤＨリング伝送路は、光信号によるＳＤＨフレームを伝送し、例えば、図６に示すように、複数のＳＤＨ伝送装置をリング状に接続するものである。このＳＤＨリング伝送路と接続したＯ／Ｅ，Ｅ／Ｏ変換部１０６は、受信光信号を電気信号に変換してＳＤＨ受信処理部１０７へ転送し、ＳＤＨ送信処理部１０８からの電気信号を光信号に変換してＳＤＨリング伝送路に送信する機能を有するものである。又ＳＤＨ受信処理部１０７は、受信ＳＤＨフレームのエラーチェック処理を含む受信処理機能を有し、又ＳＤＨ送信処理部１０８は、送信ＳＤＨフレームを形成してＯ／Ｅ，Ｅ／Ｏ変換部１０６へ転送する送信処理機能を有するものである。又カプセル分離部１０９及びカプセル化処理部１１０は、ＳＤＨフレームのペイロードにカプセル化された受信データを分離及び送信データをカプセル化してＳＤＨフレームのペイロードに付加する処理等を行う機能を有するものである。
【０００７】
又制御処理部１０５は、対向局情報抽出部１１１により抽出した対向局の送信制御情報を基に、自局から対向局に対して、同一の伝送速度及び伝送モードとなるように、送受信制御処理を行う。その場合、対向局に対しても、前述のようなバーチャル・コンテナのペイロード先頭位置に送信制御情報を付加して、ＳＤＨフレームにより送信するものである。それにより、自局と対向局との間は、伝送速度及び伝送モードを同一となるようにして送受信処理を行うことができる。なお、図示を省略したルータとの間で送受信処理するインタフェース部１１２は、制御処理部１０５との間の信号レベル変換等の物理層処理の機能を含むものである。
【０００８】
図９は、ＳＤＨ伝送装置に接続されたルータ等の相互間の伝送速度の設定調整を行う場合の従来例の要部フローチャートを示し、図８に示す主信号伝送ユニット１０３の制御処理部１０５に於いて、自局情報と、対向局情報抽出部１１１により抽出した対向局情報とが、同一設定内容か否かを判定する（ｃ１）。この場合の自局と対向局とは、例えば、図６に示すＳＤＨ伝送装置６１に接続されたルータと、ＳＤＨ伝送装置６３に接続されたルータとに相当する。そして、同一設定内容であれば、この設定調整用シーケンスは終了とする。又異なる設定内容の場合は、対向局の伝送速度が自局の伝送速度に対して低いか否かを判定する（ｃ２）。対向局の伝送速度が自局の伝送速度より低い場合は、対向局が受信処理できないので、自局の設定変更を行って（ｃ３）、対向局との間のオートネゴシェーションを行い（ｃ４）、最初のステップ（ｃ１）に戻って、自局と対向局との設定内容が同一であるか否かを判定し、この繰り返しにより、設定内容が同一となるように調整する。又対向局の伝送速度が自局の伝送速度より高い場合は、自局の受信処理速度を対向局の伝送速度に合わせるように設定し、正常に設定できた時に、自局と対向局との間の伝送速度の設定調整を終了することができる。
【先行技術文献】
【特許文献】
【０００９】
【特許文献１】特開２００１−１９７０３１号公報
【特許文献２】特開２００６−５５０６号公報
【発明の概要】
【発明が解決しようとする課題】
【００１０】
自局と対向局との間に於けるイーサネット（登録商標）パケット等をＳＤＨフレームのペイロードに多重化して伝送する場合のパケットの伝送速度や伝送モードをネゴシェーションにより同一として、送受信処理を行うＳＤＨ伝送装置等の情報伝送装置に於いて、リンク断等の異常発生により一時伝送径路が断となると、自局と対向局との間で、再度オートネゴシェーションによる再設定を行うことになる。しかし、この再設定処理が失敗することがある。その場合には、正常時の設定伝送速度及び設定伝送モードに関係なく、１０Ｍｂｐｓ及び半二重モードに設定される。これは、ＩＥＥＥ８０２．３の規定に基づくものである。従って、異常発生前は、例えば、パケットの伝送速度１００Ｍｂｐｓで伝送モード全二重モードに設定されていた場合、ネゴシェーション失敗により、伝送速度の低下が著しくなって、伝送効率の大幅な低下及びデータの欠落の問題が発生する。このような状態となると、従来は、手動によるネゴシェーションによって復帰させることになるが、その処理操作が煩雑であり、且つ正常状態に復帰するまでに要する時間が長くなる問題がある。このような問題点については、前記特許文献１，２及び他の従来技術によっても解決されていない。
【００１１】
本発明は、前述の従来の問題点を解決することを目的とし、自局と対向局との間のパケットの伝送速度と伝送モードとが相違する場合に、自動的に同一となるように制御するＳＤＨ伝送装置等の情報伝送装置及び情報伝送制御方法を提供するものである。
【課題を解決するための手段】
【００１２】
本発明の情報伝送装置は、同期フレームによりパケットを多重化伝送を行う情報伝送装置であって、自局から対向局に対して前記同期フレームにより多重化して伝送するパケットの送信速度情報と送信モード情報とを抽出する自局情報抽出部と、対向局からの受信情報を基に対向局に於けるパケットの送信速度情報と送信モード情報とを抽出する対向局情報抽出部と、自局情報抽出部により抽出した自局情報と、対向局情報抽出部により抽出した対向局情報とを比較する設定の比較・適正処理部と、この設定の比較・処理部による自局情報と対向局情報との比較結果が同一でない場合に、オートネゴシェーションにより自局と対向局とのパケットの送信速度と送信モードとを一致させる制御処理手段を含む制御処理部を備えている。
【００１３】
又前記制御処理部は、設定の比較・適正処理部による自局のパケットの送信速度と送信モードと前記対向局のパケットの送信速度と送信モードとが一致しない時に、最適と見做す設定内容を選択してオートネゴシェーションを実行する手段を備えている。又制御処理部は、同期フレームのペイロードに多重化して対向局へ送信するコンテナのペイロードの先頭位置に、自局のパケットの送信速度情報と送信モード情報とオートネゴシェーション強制実施情報とを含む送信制御情報を付加する制御処理手段を備えている。
【００１４】
又本発明の情報伝送制御方法は、同期フレームにより自局と対向局との間のパケットの伝送情報を自局側の情報伝送装置と対向局側の情報伝送装置との間で多重化して伝送する情報伝送制御方法であって、自局側の情報伝送装置は、自局のパケットの送信速度情報と送信モード情報とを含む送信制御情報を自局の伝送情報に付加して送信し、対向局側の情報伝送装置から伝送情報を受信して、この対向局のパケットの送信速度情報と送信モード情報とを抽出し、自局のパケットの送信速度情報と送信モード情報と、抽出した対向局のパケットの送信情報と送信モード情報とを照合し、照合不一致の時に、対向局側の情報伝送装置に対するオートネゴシェーション要求を行い、自局のパケットの送信速度と送信モードと対向局のパケットの送信速度と送信モードとを一致させる制御過程を含むものである。
【００１５】
又情報伝送装置は、自局と対向局とのパケットの送信速度情報と送信モード情報とが一致しない時に、最適と見做す設定内容を選択して、対向局側の情報伝送装置に対するオートネゴシェーションを実行する制御過程を含むものである。又新規回線設定時に、この新規回線に接続した自局と、対向局との間のパケットの送信速度情報と送信モード情報とを一致させる為のオートネゴシェーションを、自局側の情報伝送装置と対向局側の情報伝送装置との間で実行し、このオートネゴシェーションによりパケットの送信速度情報と送信モード情報とが一致しない時に、送信速度と送信モードの選択優先順位に従って選択した送信速度情報と送信モード情報とを基に再度オートネゴシェーションを行う制御過程を含むものである。
【発明の効果】
【００１６】
自局側の情報伝送装置と対向局側の情報伝送装置との間で、イーサネット（登録商標）等のパケットを多重化同期伝送を行うと共に、自局側と対向局側とのパケットの送信速度情報と送信モード情報とをオートネゴシェーションにより一致させることが可能となり、リンク断等の異常発生時に於いても、オートネゴシェーションにより相互間で同一のパケットの送信速度と送信モードとに設定するこが可能となる利点がある。又オートネゴシェーションによる繰り返し回数を超えるような不一致状態がある場合は、選択優先順位に従って選択したパケットの送信速度情報と送信モードとに設定する制御も可能となる。
【図面の簡単な説明】
【００１７】
【図１】本発明の実施例１の説明図である。
【図２】本発明の実施例１のフローチャートである。
【図３】本発明の実施例１のＳＤＨフレームの説明図である。
【図４】本発明の実施例１の送信制御情報の説明図である。
【図５】本発明の実施例２のフローチャートである。
【図６】リング伝送ネットワークの説明図である。
【図７】従来例の伝送フォーマットの説明図である。
【図８】従来例のＳＤＨ伝送装置の説明図である。
【図９】従来例の設定処理の要部フローチャートである。
【発明を実施するための形態】
【００１８】
本発明の情報伝送装置は、図１を参照して説明すると、同期フレームにより多重化伝送を行うＳＤＨ伝送装置１等の情報伝送装置であって、自局から対向局に対して同期フレームにより多重化して伝送するパケットの送信速度情報と送信モード情報とを抽出する自局情報抽出部１３と、対向局からの受信情報を基に対向局のパケットの送信速度情報と送信モード情報とを抽出する対向局情報抽出部１１と、自局情報抽出部１３により抽出した自局情報と、対向局情報抽出部１１により抽出した対向局情報とを比較する設定の比較・適正処理部１４と、この設定の比較・処理部１４による自局情報と対向局情報との比較結果が同一でない場合に、オートネゴシェーションにより自局と対向局とのパケットの送信速度と送信モードとを一致させる制御処理手段を含む制御処理部５を備えている。
【００１９】
又本発明の情報伝送制御方法は、同期フレームにより自局と対向局との間の伝送情報を自局側の情報伝送装置と対向局側の情報伝送装置との間で多重化して伝送する情報伝送制御方法であって、自局側の情報伝送装置は、自局のパケットの送信速度情報と送信モード情報とを含む送信制御情報を自局の伝送情報に付加して送信し、対向局側の情報伝送装置から伝送情報を受信して、この対向局のパケットの送信速度情報と送信モード情報とを抽出し、自局のパケットの送信速度情報と送信モード情報と、抽出した対向局のパケットの送信情報と送信モード情報とを照合し、照合不一致の時に、対向局側の情報伝送装置に対するオートネゴシェーション要求を行い、自局のパケットの送信速度と送信モードと対向局のパケットの送信速度と送信モードとを一致させる制御過程を含むものである。
【実施例１】
【００２０】
図１は、本発明の実施例１の説明図であり、１は情報伝送装置としてのＳＤＨ伝送装置、２は装置制御・監視ユニット、３は主信号伝送ユニット、４はユニット内監視制御部、５は制御処理部、６は光電変換及び電光変換を行うＯ／Ｅ，Ｅ／Ｏ変換部、７はＳＤＨ受信処理部、８はＳＤＨ送信処理部、９はカプセル分離部、１０はカプセル化処理部、１１は対向局情報抽出部、１２はインタフェース部、１３は自局情報抽出部、１４は設定の比較・適正処理部を示す。この実施例１のＳＤＨ伝送装置１は、図８に示す従来例としてのＳＤＨ伝送装置に、自局情報抽出部１３と設定の比較・適正処理部１４とを付加し、制御処理部５に、自局側と対向局側との間のパケットの送信速度情報と送信モード情報とを一致させる制御機能を設けた構成とする。又制御処理部５は、対向局との間の送受信制御処理を行うと共に、対向局側との間のパケットの伝送速度や全二重伝送等の送信制御情報を設定保持する手段や、設定の比較・適正処理部１４の処理結果に対応して設定保持内容を更新制御する処理手段等も含むものである。この場合の自局情報と対向局情報とは、例えば、図６に於けるＳＤＨ伝送装置６１を、ＳＤＨ装置１として、それに接続されたルータを自局とし、ＳＤＨ伝送装置６３に接続されたルータを対向局とした場合のそれぞれのパケットの伝送速度や伝送モード等を含む情報を示す。
【００２１】
又装置制御・監視ユニット２は、図示を省略した監視システム等と情報転送網を介して接続し、監視情報や制御情報の送受信処理を行い、且つ主信号伝送ユニット３のユニット内監視制御部４との間で、主信号伝送ユニット３内の各部の監視情報や制御情報の転送処理を行う機能を備え、図示を省略した上位の監視システムによる監視及び制御が可能の構成を含むことができる。又主信号伝送ユニット３は、ＳＤＨリング伝送路とルータとの間の各種情報の伝送制御処理を行う機能を備えている。又ＳＤＨリング伝送路と接続したＯ／Ｅ，Ｅ／Ｏ変換部６は、受信光信号を電気信号に変換してＳＤＨ受信処理部７へ転送し、ＳＤＨ送信処理部８からの電気信号を光信号に変換してＳＤＨリング伝送路に送信する機能を有するものである。又ＳＤＨ受信処理部７及びＳＤＨ送信処理部８は、ＳＤＨフレームの受信処理及びＳＤＨフレームを形成して送信処理を行う機能を有し、又カプセル分離部９及びカプセル化処理部１０は、ＳＤＨフレームのペイロードにカプセル化された受信データを分離及び送信データをカプセル化してＳＤＨフレームのペイロードに付加する処理等を行う機能を含むものであり、Ｏ／Ｅ，Ｅ／Ｏ変換部６、ＳＤＨ受信処理部７、ＳＤＨ送信処理部８、カプセル分離処理部９、カプセル化処理部１０及びインタフェース部１２は、従来例として示す図８のＯ／Ｅ，Ｅ／Ｏ変換部１０６、ＳＤＨ受信処理部１０７、ＳＤＨ送信処理部１０８、カプセル分離処理部１０９、カプセル化処理部１１０及びインタフェース部１１２と同様な構成及び処理機能を備えている。
【００２２】
又ユニット内監視制御部４は、主信号ユニット３内の符号５〜１４で示す各部の状態情報を監視し、且つ装置制御・監視ユニット２を介して受信した制御情報を基に動作状態の制御を行う。又設定の比較・適正処理部１４は、制御監視部５により受信処理した対向局からの各種情報の中から対向局情報抽出部１１により抽出したパケットの伝送に関する対向局情報と、制御処理部５に設定されているパケットの伝送に関する自局情報を自局情報抽出部１３により抽出して比較し、同一の場合はそのままとし、相違する場合は、制御処理部５へ通知する。制御処理部５は、その通知に従ってオートネゴシェーションを開始する。又設定の比較・適正処理部１４は、オートネゴシェーションにより対向局情報と自局情報とが同一となったか否かを判定し、同一となった場合は、制御処理部５へ通知する。それによって、制御処理部５は、オートネゴシェーション処理を終了し、対向局情報と同一となった自局情報に基づいて送信処理を行う。従って、制御処理部５は、設定された自局のパケットの送信制御情報と共に対向局のパケットの送信制御情報とを含めて、送信制御する為の各種情報を保持するテーブル等を備えている。
【００２３】
図２は、本発明の実施例１のフローチャートであり、設定の比較・適正処理部１４は、前述のように、自局情報抽出部１３により抽出したパケット伝送に関する自局情報と、対向局情報抽出部１１により抽出したパケット伝送に関する対向局情報とを比較し、同一であるか否かを判定する（ａ１）。同一の場合は、この処理を終了し、異なる場合は、対向局情報による伝送速度より自局情報による伝送速度が低いか否かを判定する（ａ２）。自局情報による伝送速度が低い場合、リトライ回数がｎ回以下か否かを判定し（ａ３）、予め設定したｎ回以下の場合は、制御処理部５へ通知してオートネゴシェーションのリトライを行わせる（ａ４）。又リトライ回数がｎ回を超えると、制御処理部５へ通知して、対向局へ速度ＤＯＷＮ制御情報の送信を行わせ（ａ５）、ステップ（ａ１）に移行する。又ステップ（ａ２）に於いて、自局側のパケットの伝送速度が対向局側のパケットの伝送速度より高い場合は、対向局からの速度ＤＯＷＮ制御の有無を判定し（ａ６）、速度ＤＯＷＮ制御無しの場合はステップ(ａ１)に移行し、対向局からの速度ＤＯＷＮ制御有りの場合は、自局の設定変更を行って（ａ７）、オートネゴシェーションのリトライを行う（ａ４）。前述のように、対向局情報抽出部１１と自局情報抽出部１３とにより抽出した対向局情報と自局情報とを比較・適正処理部１４により比較判定し、同一でない場合は、制御処理部５に通知してオートネゴシェーションにより対向局情報と自局情報との一致を図ることができる。
【００２４】
図３は、ＳＤＨフレームの説明図であり、ＳＴＭ−４フレームを適用する場合を示し、このＳＴＭ−４フレームは、図７の（Ａ）にも示しているように、９行×１０８０バイトの構成を有し、セクション・オーバーヘッドＳＯＨは、９行×３６バイトの構成であり、ＲＳＯＨ（Ｒｅｇｅｎｅｒａｔｏｒ  Ｓｅｃｔｉｏｎ  Ｏｖｅｒ  Ｈｅａｄ）は、３行×３６バイト構成で、中継装置相互間或は中継装置と伝送装置との間で使用されるセクション・オーバーヘッド、ＡＵ−ＰＴＲｓ（Ａｄｍｉｎｉｓｔｒａｔｉｖｅ  Ｕｎｉｔ  Ｐｏｉｎｔｅｒ）は、１行×３６バイト構成で、時間位相関係をペイロードのタイムスロットのアドレス値として示すポインタ、ＭＳＯＨ（Ｍｕｌｔｉｐｌｅｘ  Ｓｅｃｔｉｏｎ  Ｏｖｅｒ  Ｈｅａｄ）は、５行×３６バイト構成で、伝送端局相互間で使用される端局セクション・オーバーヘッドを示す。
【００２５】
又バーチャル・コンテナＶＣ３／ＶＣ４は、低次バーチャル・コンテナを示し、ＶＣ３は７６３バイト構成、ＶＣ４は２３４９バイト構成として知られており、その何れかを適用できることを示し、各バーチャル・コンテナＶＣ３／ＶＣ４のＰＯＨ（Ｐａｔｈ  Ｏｖｅｒ  Ｈｅａｄ）は、パス・オーバーヘッドであり、９バイト構成であって、Ｊ１，Ｂ３，Ｃ２，Ｇ１，Ｆ２，Ｈ４，Ｆ３、Ｋ３，Ｎ１の各バイトを含み、例えば、Ｊ１は固定パターンで、バーチャル・コンテナの先頭位置を示すバイト、Ｂ３は誤り監視バイト、Ｃ２はコンテナ構成を示すバイト、Ｇ１はパス状態表示バイト、Ｆ２は任意使用可能のバイト、Ｈ４は位置表示用バイトを示す。又ペイロード（Ｐａｙｌｏａｄ）の先頭位置のＬ，Ｒバイトは、送信制御情報ＳＤを示し、この送信制御情報ＳＤを、前述の対向局情報抽出部１１により抽出する。又ＳＤＨペイロードに多重化するバーチャル・コンテナＶＣ３／ＶＣ４は、伝送速度に対応して単一又は複数割り当てることができる。
【００２６】
図４は、前述のバーチャル・コンテナＶＣ３／ＶＣ４のペイロードの先頭位置に付加する自局から対向局へ通知する自局側のパケットの送信制御情報ＳＤの説明図であって、２バイト目のバイトＲのＢｉｔ０〜Ｂｉｔ７の８ビット中、Ｂｉｔ４〜７と、１バイト目のバイトＬのＢｉｔ０〜Ｂｉｔ７の８ビット中のＢｉｔ６，Ｂｉｔ７とを使用する場合を示す。例えば、バイトＲのＢｉｔ７は、“０”により１０Ｍモードの伝送速度、“１”により１００Ｍモードの伝送速度を示し、Ｂｉｔ６は、“０”は無視（Ｎ／Ａ）し、“１”により１００Ｍモードの伝送速度を示し、バイトＲのＢｉｔ５は、“０”により半二重（Ｈａｌｆ  Ｄｕｐｌｅｘ）を示し、“１”により全二重（Ｆｕｌｌ  Ｄｕｐｌｅｘ）を示す。又バイトＲのＢｉｔ４は、“０”により現状設定の状態を示し、“１”によりオートネゴシェーション結果を示す。又バイトＬのＢｉｔ７は、“０”は無視（Ｎ／Ａ）、“１”は受信した設定に合わせるように、伝送速度を低下させる制御情報、バイトＬのＢｉｔ６は、“０”は無視、“１”はオートネゴシェーションの強制実施の制御情報を示す。
【００２７】
ＳＤＨ伝送装置１の主信号伝送ユニット３の制御処理部５、対向局情報抽出部１１、自局情報抽出部１３及び設定の比較・適正処理部１４（図１参照）により、受信ＳＤＨフレームのペイロードに多重化されているバーチャル・コンテナＶＣ３／ＶＣ４のペイロードの先頭位置の送信制御情報ＳＤを抽出し、自局情報抽出部１３により制御処理部５に設定されている自局の送信制御情報を抽出し、設定の比較・適正処理部１４により、自局の送信制御情報と対向局の送信制御情報とを比較し、図２に示すフローチャートに従った制御処理を行って、自局の送信制御情報と対向局の送信制御情報とが同一の内容となるように制御する。それにより、システム立ち上げ時や、リンク断等により再設定処理を行う場合に於いても、自動的に自局側のパケットの送信制御状態と対向局側のパケットの送信制御状態とを一致させることが可能となる。
【実施例２】
【００２８】
図５は、本発明の実施例２のフローチャートを示し、新規回線設定の場合の設定制御処理を示す。先ず、新規回線の設定の有無を判定する（ｂ１）。新規回線の設定がなければ処理を終了する。又例えば、図６に示す既設のルータＲＴ１，ＲＴ２を接続したＳＤＨ伝送装置６１，６３、又は他のＳＤＨ伝送装置６２，６４に新たにパケット伝送を行うルータ等を接続した場合、新規回線の設定に相当することになる。その場合、図１に示す制御処理部５により新規回線設定を判定するか、又は装置制御・監視ユニット２とユニット内監視制御部４とを介して外部の制御端末又は監視システム側からの通知により判定することができ、新規回線設定の場合は、対向局側へオートネゴシェーション要求を行う（ｂ２）。例えば、前述のように、図６に於けるＳＤＨ伝送装置６２、６４に新たにルータを接続した場合、例えば、ＳＤＨ伝送装置６２を自局側とし、ＳＤＨ伝送装置６４を対向局側としてオートネゴシェーション要求を行う。このオートネゴシェーションにより対向局の送信制御情報ＳＤを受信し（ｂ３）、設定の比較・適正処理部１４（図１参照）により、自局と対向局とのパケットに関する送信制御情報を比較する（ｂ４）。
【００２９】
この比較処理結果、一致した場合は、その比較結果を制御処理部５へ通知して、処理を終了する。又不一致の場合は、最適な設定を選択し（ｂ５）、その選択設定した送信制御情報を基にオートネゴシェーション実行処理に移行し（ｂ６）、対向局側へオートネゴシェーション要求を行い（ｂ７）、前述の対向局の送信制御情報受信のステップ（ｂ３）へ移行する。なお、ステップ（ｂ５）に於ける最適な設定の選択として、例えば、優先順位の高い順とすることができる。この優先順位の高い順として、例えば、（ａ）１０００ＢＡＳＥ−Ｔ全二重、（ｂ）１０００ＢＡＳＥ−Ｔ半二重、（ｃ）１００ＢＡＳＥ−ＴＸ全二重、（Ｄ）１００ＢＡＳＥ−ＴＸ半二重、（ｅ）１０ＢＡＳＥ−Ｔ全二重、（ｆ）１００ＢＡＳＥ−Ｔ半二重とすることができる。このような優先順位の情報は、例えば、制御処理部５の図示を省略しているテーブル等に記憶させておくことが可能である。
【００３０】
前述のように、新規回線設定の場合は勿論のこと、システム運用中の障害発生による運用再開時に於いても、制御処理部５は、対向局情報抽出部１１と自局情報抽出部１３と設定の比較・適正処理部１４との機能により、自動的にパケットについての送信制御情報を一致させる処理を実行することができる。又ＳＤＨ伝送装置１の例えば装置制御・監視ユニット２に対して、図示を省略した制御端末装置から対向局を指定して、送信制御情報についてのネゴシェーション開始を指示することも可能であり、又前述の優先順位に従って設定するオートネゴシェーションを遠隔制御によって開始させることも可能である。
【符号の説明】
【００３１】
１  ＳＤＨ伝送装置
２  装置制御・監視ユニット
３  主信号伝送ユニット
４  ユニット内監視制御部
５  制御処理部
６  Ｏ／Ｅ，Ｅ／Ｏ変換部
７  ＳＤＨ受信処理部
８  ＳＤＨ送信処理部
９  カプセル分離部
１０  カプセル化処理部
１１  対向局情報抽出部
１２  インタフェース部
１３  自局情報抽出部
１４  設定の比較・適正処理部
【図１】
2011176543.tif 000003
【図２】
2011176543.tif 000004
【図３】
2011176543.tif 000005
【図４】
2011176543.tif 000006
【図５】
2011176543.tif 000007
【図６】
2011176543.tif 000008
【図７】
2011176543.tif 000009
【図８】
2011176543.tif 000010
【図９】
2011176543.tif 000011